(57)【要約】【課題】  かなり分厚い書類あるいはメモ用紙を挟持出来、しかも、携行しやすい留具を筆記具に一体的に構成し、美観を損なわないような留具付筆記用具を提供する。【解決手段】  挟持片の一方７と把持片の一方８とを持つ下部中空環体９と挟持片の他方１０と把持片の他方１１とを持つ上部中空環体１２とを筆記具本体１の頭部側に延長した軸に挿嵌し、上記下部中空環体と上記上部中空環体との当接面側に夫々穴を設け、上記夫々の穴にリングバネ体の夫々の一端を嵌合させてなる留具付筆記用具であり、把持片８、１１を押さえることにより、挟持片７、１０を開き、この部分にメモ用紙や書類を挟み込む。【選択図】  図１
2007030398.tif 000002
【特許請求の範囲】
【請求項１】
筆記具本体の頭部側に軸を延長し、その延長した軸部分を回転中心とした挟持片および把持片を上記筆記具本体に一体的に構成配備したことを特徴とする留具付筆記用具。
【請求項２】
挟持片の一方と把持片の一方とを持つ下部中空環体と挟持片の他方と把持片の他方とを持つ上部中空環体とを筆記具本体の頭部側に延長した軸に挿嵌し、上記下部中空環体と上記上部中空環体との当接面側に夫々穴を設け、上記夫々の穴にリングバネ体の夫々の一端を嵌合させてなる留具付筆記用具。
【発明の詳細な説明】
【技術分野】
【０００１】
本発明は、書類あるいはメモ用紙等に筆記する筆記具に、留具を一体的に構成装備し、書類あるいはメモ用紙等を留具に挟みつつ携行することのできる留具付筆記用具に関する。
【背景技術】
【０００２】
通常、洋服のポケットの縁に挟むようなクリップが付いている筆記具が多く使われている。このような筆記用具だけを持ち歩いても、メモを取る段階、筆記する段階では、用紙がないと筆記できない。書類あるいはメモ用紙を筆記具と一緒に挟み携行出来れば非常に便利である。
【０００３】
上記のような通常の筆記具のほかに、手帳等の内容物を挟着するための内容物押さえクリップを通常のクリップとは別に設けた筆記具も提案されている（例えば、特許文献１参照）。
【０００４】
この文献１に開示の筆記具は別途設けたクリップによって手帳や種々のポケットの内容物の落下を防止するものである。
【０００５】
また、電車内や待合室あるいは家庭内において新聞等を読む場合に、新聞がばらばらにならないようにとめる機能を有する止具付筆記具も提案されている（例えば特許文献２参照）。この文献によると、洋服のポケットの縁に挟むクリップの構造を改良し、新聞を止めるように工夫されている。このクリップ構造では、本発明の目的の分厚い書類を挟持し携行する目的には不適切である。
【特許文献１】特開平８−９０９８５号公報
【特許文献２】実開昭６２−１９１４８６号公報
【発明の開示】
【発明が解決しようとする課題】
【０００６】
解決しようとする問題点は、かなり分厚い書類あるいはメモ用紙を挟持出来、しかも、携行しやすい留具を筆記具に一体的に構成し、美観を損なわないような留具付筆記用具を提供することである。
【課題を解決するための手段】
【０００７】
本発明は、上記の課題に鑑みてなされたものであり、請求項１に記載の発明は、筆記具本体の頭部側に軸を延長し、その延長した軸部分を回転中心とした挟持片および把持片を上記筆記具本体に一体的に構成配備したことを特徴とする留具付筆記用具を提供する。
【０００８】
また、請求項２に記載の発明は、挟持片の一方と把持片の一方とを持つ下部中空環体と挟持片の他方と把持片の他方とを持つ上部中空環体とを筆記具本体の頭部側に延長した軸に挿嵌し、上記下部中空環体と上記上部中空環体との当接面側に夫々穴を設け、上記夫々の穴にリングバネ体の夫々の一端を嵌合させてなる留具付筆記用具を提供する。
【発明の効果】
【０００９】
本発明の留具付筆記用具は、従来の筆記具の形状と利便性を大きく変えることなく、更に、分厚い書類やメモ用紙を挟持し携行できる留具一体構成の筆記用具を提供しようとするものである。従来の筆記具と同様に、洋服の胸のポケットにさして携行することも可能であり、美観も損なわれない。また、分厚い書類あるいはメモ用紙をまとめて挟持しやす
く、携行しやすい形態である。このような構成にすることにより、会議とか、現場とかに行くときには、この筆記用具に書類、会議資料あるいはメモ用紙を挟持して携行すれば、利便性が非常に高まることになる。
【発明を実施するための最良の形態】
【００１０】
以下、本発明の実施例につき、図面を参照しつつ説明する。図１は本発明の一実施例におけるボールペンを例示した留具付筆記用具の斜視図、図２は同実施例の要部分解斜視図、図３は同実施例の要部断面平面図、図４は同実施例の留具の構造、作用を説明するための一部断面正面図である。
【００１１】
図において、１は筆記具本体、２は筆記具本体１の頭部を示す。３は筆記用のボール、４はポケット等の縁に挟むクリップ、５は筆記のときに指を置く握り部であり、これらは従前の筆記具にも基本的に備えているものである。６は、本発明の特徴である留具であり、挟持片７と把持片８をもつ下部中空環体９と挟持片１０と把持片１１とを持つ上部中空環体１２を備える。また、下部中空環体９と上部中空環体１２は筆記具本体１の頭部２側に延長した軸１３に挿嵌される。その際下部中空環体９と上部中空環体１２の夫々の当接面側に夫々穴１４、１５を設け、上記穴１４、１５にリングバネ体１６の夫々の一端１７、１８を直角に曲げて嵌合させる。この場合リングバネ体の主要部は下部及び上部中空環体９、１２の当接部に設けた凹部１９、２０に収容するのが望ましい。リングバネ体１６は上記のような穴への嵌合状態において、挟持片７と挟持片１０とが密に接するべく付勢するように作用する。
【００１２】
ここで把持片８と把持片１１とを互いに近づけるように、例えば指で付勢すると、挟持片７と挟持片１０とはその力に応じて開くが、リングバネ体１６の作用により把持片８と１１への付勢を解除すると挟持片７と１０は閉じる。尚、軸１３の端部付近にはねじ２１が切られ、そのねじ２１に対し留具６が抜けないようにナット２２によって締め付けられている。
【００１３】
以上のように、構成されているので、留具６にメモ用紙や書類を挟むには、把持片８、１１を二本の指で押さえれば、その反動として挟持片７、１０が互いに開き、その開部にメモ用紙や書類を差込み、押さえている指を離せば、リングバネ体１６の戻り力により、２つの挟持片７と１０が互いに近接し、メモ用紙や書類を挟むことができる。
【００１４】
尚、挟持片７、１０の相接面側に波状の加工を施した例を図示しているが、この部分に例えば薄いゴム体を貼りつけすべり止め効果を更に高めることができる。又、筆記具本体１の太さ、長さ等は適宜採用すればよく、クリップ４の設置位置も図示例に限らず適宜選択できることはいうまでもない。
【図面の簡単な説明】
【００１５】
【図１】本発明の一実施例におけるボールペンを例示した留具付筆記用具の斜視図である。
【図２】同上実施例の要部分解斜視図である。
【図３】同上実施例の要部断面平面図である。
【図４】同上実施例の留具の構造、作用を説明するための一部断面正面図である。
【符号の説明】
【００１６】
１  筆記具本体
２  筆記具本体の頭部
３  筆記用のボール
４  クリップ
５  握り部
６  留具
７  挟持片
８  把持片
９  下部中空環体
１０  挟持片
１１  把持片
１２  上部中空環体
１３  軸
１４、１５  穴
１６  リングバネ体
【図１】
2007030398.tif 000003
【図２】
2007030398.tif 000004
【図３】
2007030398.tif 000005
【図４】
2007030398.tif 000006